(57)【要約】【課題】身長、体重からＢＭＩ値を簡単正確に計算すると共にＢＭＩ値から肥満度を判断することを可能とする計算図表の提供。【解決手段】ＢＭＩ値  計算図表  は身長、体重及びＢＭＩ値の３本の平行尺で構成され、これ等を横断する直線がそれぞれの尺と交わる点の目盛りの読みが  体重（ｋｇ）÷｛身長（ｍ）×身長（ｍ）｝＝ＢＭＩ値  の関係を満足する計算尺で、肥満度判定区分を相当するＢＭＩ値の範囲に表示する。【選択図】図１
0003151994.tif 000002
【実用新案登録請求の範囲】
【請求項１】
身長，体重、及びＢＭＩの３本の平行した対数目盛りの直線尺と交わる仮想直線の３交点の目盛りがＢＭＩ＝体重ｋｇ／（身長ｍ×身長ｍ）の関係となる計算図表。
【請求項２】
ＢＭＩ値の所定の範囲と肥満度の分類とを関連付ける表示を有する請求項１の計算図表。
【考案の詳細な説明】
【技術分野】
【０００１】  本考案はＢＭＩ値の計算図表に関するものである。
【背景技術】
【０００２】  最近肥満人口が世界的に増え、いまや世界の６人に１人が体重超過であると言われている。我が国では成人に対する健康診断に於いて必ず身長と体重を測定し、体重ｋｇを身長ｍの自乗で割ってＢＭＩ値を算出し肥満度を告知すると共に、その身長に対する標準のＢＭＩ値２２に相当する体重との比較を示して健康管理の指導にあたっている。当然その際にＢＭＩ値の計算を必要とするが、
１）パソコンの利用。
２）電算機の利用。
３）各種計算器具の利用。
４）グラフの利用。
５）計算図表の利用。
が実際に行われ、または提案されている。
【先行技術文献】
【特許文献】
【０００３】
【特許文献１】実用新案登録第３１１２２７２号（第１頁、図１）
【特許文献２】実用新案登録第３０７８２９０号（第２頁、図１）
【特許文献３】公開実用  昭和５８−１１７５１８号（第１０頁、図面）
【特許文献４】実用新案登録第３０８９９１３号（第３頁、図３）
【非特許文献】
【０００４】
【非特許文献１】『ＢＭＩによる体重の判定グラフ』「五訂食品成分表」、女子栄養大学出版部、２００４年、Ｐ．３４６
【考案の概要】
【考案が解決しようとする課題】
【０００５】  前項背景技術に挙げた１）〜２）はそれぞれ器具を装備すると共にＢＭＩ値の計算に合わせたソフト又は手順をその都度使用する必要がある。また被験者の身長体重の測定値からＢＭＩ値を算出し理想体重（ＢＭＩ値＝２２に相当する体重）との差を指摘するのみで、全体的なバランスを一覧することは不可能である。【０００６】  ３）は複雑な專用計算器具である。例えば、特許文献１、特許文献２、特許文献３として公開されているが、いずれも固定尺に組み合わせた、滑尺を具備する必要が有る。【０００７】  ４）については非特許文献１に、Ｙ軸に体重（ｋｇ）を、Ｘ軸に身長（ｃｍ）をとって、ＢＭＩ＝２５．０，２３．０，２２．０，２０．０および１８．５の曲線を描いたものが公表されている。曲線は計算値を多数求め此れ等をたどって描いたもので、求められる結果も限られ、精密さに欠けている。【０００８】  ５）については、特許文献４に計算図表が公示されているが体重対応軸と身長（自乗）対応軸は平行する２本の実数目盛りで出来ている。ＢＭＩ読み取り用基準線は上記の２本の間の斜めの直線尺である。それには、ＢＭＩ値と身長（自乗）の組み合わせから体重を算出した表を作製し同一ＢＭＩ値を与える２組の身長と体重の組み合わせを求め、対応する体重対応軸と身長（自乗）対応軸の目盛りを結ぶ２本の補助線の交点を以ってその目盛りとしている。同様の交点を１８〜３２の１５個のＢＭＩ値について求めこれらを結ぶ線をＢＭＩ読み取り用基準線とし且つＢＭＩ値の目盛りとしているが、数理的な根拠がなくまた精密さに欠けている。
【課題を解決するための手段】
【０００９】  本考案の計算図表は特別な機器を必要とせず身長、体重の任意の単位の測定値からＢＭＩ値を簡単・正確に計算することが可能である。【００１０】  本考案の計算図表はＢＭＩ値の範囲に基づいて肥満度の判定が可能である。
【考案の効果】
【００１１】  検査担当者は検査現場に於いて本考案計算図表により身長と体重の測定値からＢＭＩ値、またＢＭＩの基準値２２にするための体重、肥満度を読み取り被験者に図示して説明する。【００１２】  検査担当者は前項の説明指導をし、場合に依っては本計算図表を交付する。【００１３】  本考案計算図表を所持する者は本人のみならず周辺の人達の日常生活における体重管理に役立たせることができる。【００１４】  本考案計算図表を日記帳、システム手帳等に挿入することができる。【００１５】  本考案計算図表にラミネート加工を施し耐久性を付加することができる。【００１６】  本考案計算図表の肥満度区分の領域別にそれぞれ異なった着色をほどこすことができる。
【図面の簡単な説明】
【００１７】
【図１】  本考案「ＢＭＩ値計算図表」である。
【図２】  本考案「ＢＭＩ  ＣＡＬＣＵＬＡＴＯＲ」である。
【図３】  本考案「ＢＭＩ値計算図表の作成原理の説明図」である。
【考案を実施するための形態】
【００１８】  身長、体重、及びＢＭＩの３本の平行した対数目盛りの直線尺と交わる仮想直線の３交点の目盛りがＢＭＩ＝体重ｋｇ／（身長ｍ×身長ｍ）の関係となる計算図表。
【実施例】
【００１９】    図１に示したようにＡ尺に身長をｃｍ単位で目盛り、Ｂ尺に体重をｋｇ単位で目盛る、Ｃ尺にＢＭＩ値を目盛り更に表１に示された範囲毎に肥満度を表示する。【００２０】    Ａ尺には身長の範囲を１４０〜２００ｃｍとし最小目盛りを１ｃｍ刻みで対数目盛りにする。【００２１】    Ｂ尺には体重の範囲を３０〜１６０ｋｇとし最小目盛りを１ｋｇ刻みで対数目盛りにする。【００２２】    Ｃ尺にはＢＭＩ値の範囲を１６〜４０とし最小目盛りを０．２刻みで対数目盛りにする。【００２３】  さらにＣ尺には表１の区分けに従って値４０，３５，３０，２５，１８．５及び１６に区分線を引き肥満度４、肥満度３、肥満度２、肥満度１、普通体重、軽量及びやせの範囲を表示する。尚ＢＭＩ値２２に対しては、標準と表記する。
【表１】
0003151994.tif 000003
【００２４】  身長と体重が与えられた場合例えば身長が１６５ｃｍで体重が７２ｋｇの時には、Ａ尺上の１６５ｃｍの点とＢ尺上の７２ｋｇの点を結んだ仮想直線の延長がＣ尺と交わる点の読み  ２６．４がＢＭＩ値となり、それは肥満度１の範囲にある。検算してみると
ＢＭＩ＝体重（ｋｇ）÷｛身長（ｍ）×身長（ｍ）｝  則ち
７２÷（１．６５×１．６５）＝２６．４４６２  となる。【００２５】  身長に対する標準体重を求める場合前掲の身長１６５ｃｍの時には、Ａ尺上の１６５ｃｍの点とＣ尺上のＢＭＩ値２２（標準体重）の点を結ぶ仮想直線がＢ尺を横切る点の読み６０ｋｇが求める標準体重である。検算してみると
２２×｛身長（ｍ）×身長（ｍ）｝＝体重（ｋｇ）
２２×１．６５×１．６５＝５９．８９５（ｋｇ）となる。【００２６】  前例の身長１６５ｃｍの場合肥満度１であったがこれを普通体重の範囲にするには何ｋｇ減量すれば良いか、Ａ尺上の１６５ｃｍの点とＣ尺上の普通体重のＢＭＩ値の範囲の上限２５を結んだ仮想直線がＢ尺を横切る点の読み６８ｋｇにすればよい、すなわち少なくとも７２−６８＝４ｋｇ減量する必要が有る。
検算してみると２５×１．６５×１．６５＝６８．０６２５（ｋｇ）となる。【００２７】  身長１５５ｃｍの人の場合普通体重の範囲はＡ尺上の１５５ｃｍの点とＣ尺上の普通体重の範囲の上限２５と下限１８．５をそれぞれ結ぶ２本の仮想直線がＢ尺を切る各点の読み６０〜４４．５ｋｇが求める範囲である。検算してみると
２５×１．５５×１．５５＝６０．０６２５（ｋｇ）となる
１８．５×１．５５×１．５５＝４４．４４６２５（ｋｇ）となる。【００２８】  本考案計算図表は次の通り作成された物である。図３に於いて身長の範囲をａ１〜ａ２，ＢＭＩ値の範囲をｃ１〜ｃ２とした場合体重の範囲はｂ１〜ｂ２但しｂ１＝（ａ１×ａ１）×ｃ１，ｂ２＝（ａ２×ａ２）×ｃ２となる。各尺の長さをＬとすると、
Ａ尺上の目盛りｘの位置はｌ（ｘ）＝｛ｌｏｇ（ｘ×ｘ）／（ａ２×ａ２）｝／｛ｌｏｇ｛（ａ１×ａ１）／（ａ２×ａ２）｝×Ｌ
Ｂ尺上の目盛りｙの位置はｌ（ｙ）＝（ｌｏｇｙ／ｂ２／ｌｏｇｂ１／ｂ２）×Ｌ
Ｃ尺上の目盛りｚの位置はｌ（ｚ）＝（ｌｏｇｚ／ｃ２／ｌｏｇｃ１／ｃ２）×Ｌ【００２９】  Ａ尺とＢ尺の間隔をｍ、Ｃ尺とＢ尺の間隔をｎとすれば
ｍ：ｎ＝ｌｏｇ｛ｃ１／ｃ２｝：ｌｏｇ｛（ａ１×ａ１）／（ａ２×ａ２）｝【００３０】  単位が身長（ｍ），体重（ｋｇ）以外である場合には、使用する単位名に従ってＡ尺，Ｂ尺にその単位の身長，体重を目盛り、ＢＭＩ値は計算値を目盛る。【００３１】  本考案の身長をインチ，体重をポンドで現した場合のＢＭＩ値計算図表（ＢＭＩカルキュレーター）を図２に示す。【００３２】  Ａ尺は身長の範囲が４フィート〜７フィートの対数目盛りで最小目盛りは１インチ刻みである。【００３３】  Ｂ尺は体重の範囲が５０ポンド〜４５０ポンドの対数目盛りで最小目盛りは５ポンド刻みである。【００３４】  Ｃ尺はＢＭＩ値の範囲が１５〜４５の対数目盛りでし最小目盛りは０．２刻みである。【００３５】  肥満度の判定に関してはＢＭＩ値２２を以って基準則ち理想の肥満度とし、ＢＭＩ値の範囲によって表２に示した肥満度の分類によっている。
【表２】
0003151994.tif 000004
【００３６】    身長が５フィート９インチで体重が２１５ポンドの場合Ａ尺上の５フィート９インチとＢ尺上の２１５ポンドを結んだ仮想直線がＣ尺と交わる点の読み３１．７が求めるＢＭＩ値で肥満度はオベーズ
検算してみると
５フィート９インチ＝５×０．３０４８＋９×０．０２５４＝１．７５２６ｍ
２１５ポンド＝２１５×０．４５３＝９７．３９５ｋｇ
ＢＭＩ＝９７．３９５÷（１．７５２６×１．７５２６）＝３１．７０８【００３７】    任意の単位また任意の範囲のＢＭＩ値計算図表は前各項に述べたようにしてを作成される。【００３８】    本考案計算図表は使用目的に応じ、実物大だけでなく拡大または縮小して複写することができる。【００３９】    本考案計算図表を使用する場合、検査担当者は被験者に指導するにあたって、身長と体重の測定値からＢＭＩ値を求める方法とその結果を示し、またＢＭＩ値２２にするために体重を何程にすべきかと、肥満度の程度を説明する。更に体重の変化に伴いＢＭＩ値がどのように変化するか、また肥満度がどうなるかを図上で仮想直線を移動して説明する。また肥満度をある範囲にする為の体重の目標範囲を計算図表上で説明する。
【符号の説明】  １  Ａ尺（身長）
２  Ｂ尺（体重）
３  Ｃ尺（ＢＭＩ）
４  Ｌ  各尺の全長
５  ｌ（ｘ）目盛りｘの位置
６  ｌ（ｙ）目盛りｙの位置
７  ｌ（ｚ）目盛りｚの位置
８  ｍ  １〜２間の距離
９  ｎ  ２〜３間の距離
１０  目盛りｘ
１１  目盛りｙ
１２  目盛りｚ
【図１】
0003151994.tif 000005
【図２】
0003151994.tif 000006
【図３】
0003151994.tif 000007
【手続補正書】
【提出日】平成21年4月10日(2009.4.10)
【手続補正１】
【補正対象書類名】明細書
【補正対象項目名】００１８
【補正方法】変更
【補正の内容】
身長、体重、及びＢＭＩの３本の平行した対数目盛りの直線尺と交わる仮想直線の３交点の目盛りがＢＭＩ＝体重ｋｇ／（身長ｍ×身長ｍ）の関係となる計算図表を記載した紙等のシート。
【手続補正２】
【補正対象書類名】実用新案登録請求の範囲
【補正対象項目名】請求項１
【補正方法】変更
【補正の内容】
身長，体重、及びＢＭＩの３本の平行した対数目盛りの直線尺と交わる仮想直線の３交点の目盛りがＢＭＩ＝体重ｋｇ／（身長ｍ×身長ｍ）の関係となる計算図表を記載した紙等のシート。
【手続補正３】
【補正対象書類名】実用新案登録請求の範囲
【補正対象項目名】請求項２
【補正方法】変更
【補正の内容】
ＢＭＩ値の所定の範囲と肥満度の分類とを関連付ける表示を有する請求項１のシート。